【手続補正書】
【提出日】平成15年6月26日(2003.6.26)
【手続補正１】
【補正対象書類名】明細書
【補正対象項目名】発明の名称
【補正方法】変更
【補正の内容】
【発明の名称】ディジタル情報記録装置、記録方法、記録再生装置及び記録再生方法
【手続補正２】
【補正対象書類名】明細書
【補正対象項目名】特許請求の範囲
【補正方法】変更
【補正の内容】
【特許請求の範囲】
【請求項１】
映像・音声・データ等の複数のディジタル情報があらかじめ定められたパケット形式の一つのビット列に多重されたパケット情報を受信して記録媒体に記録するディジタル情報記録装置において、
前記パケット情報を受信する受信手段と、
前記受信手段で受信したパケット情報から特定のディジタル情報パケットを分離して第２のパケット情報を生成するパケット分離手段と、
前記第２のパケット情報に含まれる複数のディジタル情報を識別する識別情報をパケット情報から取得してサブコード情報を生成するサブコード情報生成手段と、
前記第２のパケット情報と前記サブコード情報を前記記録媒体の所定の領域に記録する記録手段とを備えたことを特徴とするディジタル情報記録装置。
【請求項２】
前記パケット情報はＭＰＥＧ規格で規定されているトランスポートストリームであり、前記識別情報は前記複数のディジタル情報のパケットを識別するパケットＩＤ（ＰＩＤ）であることを特徴とする請求項１に記載のディジタル情報記録装置。
【請求項３】
前記識別情報は、プログラムアソシエーションテーブル（ＰＡＴ）またはプログラムマップテーブル（ＰＭＴ）から取得することを特徴とする請求項２に記載のディジタル情報記録装置。
【請求項４】
映像・音声・データ等の複数のディジタル情報があらかじめ定められたパケット形式の一つのビット列に多重されたパケット情報を受信して記録媒体に記録するディジタル情報記録方法において、
前記パケット情報を受信するステップと、
受信したパケット情報から特定のディジタル情報パケットを分離して第２のパケット情報を生成するステップと、
前記第２のパケット情報に含まれる複数のディジタル情報を識別する識別情報をパケット情報から取得してサブコード情報を生成するステップと、
前記第２のパケット情報と前記サブコード情報を前記記録媒体の所定の領域に記録するステップとを備えたことを特徴とするディジタル情報記録方法。
【請求項５】
前記パケット情報はＭＰＥＧ規格で規定されているトランスポートストリームであり、前記識別情報は前記複数のディジタル情報のパケットを識別するパケットＩＤ（ＰＩＤ）であることを特徴とする請求項４に記載のディジタル情報記録方法。
【請求項６】
前記識別情報は、プログラムアソシエーションテーブル（ＰＡＴ）またはプログラムマップテーブル（ＰＭＴ）から取得することを特徴とする請求項５に記載のディジタル情報記録方法。
【請求項７】
映像・音声・データ等の複数のディジタル情報があらかじめ定められたパケット形式の一つのビット列に多重されたパケット情報を受信して記録媒体に記録再生するディジタル情報記録再生装置において、
前記パケット情報を受信する受信手段と、
前記受信手段で受信したパケット情報から特定のディジタル情報パケットを分離して第２のパケット情報を生成するパケット分離手段と、
前記第２のパケット情報に含まれる複数のディジタル情報を識別する識別情報をパケット情報から取得してサブコード情報を生成するサブコード情報生成手段と、
前記第２のパケット情報と前記サブコード情報を前記記録媒体の所定の領域に記録し、前記記録媒体の所定の領域から再生する記録再生手段と、
再生された前記サブコード情報に含まれる前記識別情報を検出して再生された前記パケット情報に多重されている前記複数のディジタル情報を識別する識別手段とを備えたことを特徴とするディジタル情報記録再生装置。
【請求項８】
前記パケット情報はＭＰＥＧ規格で規定されているトランスポートストリームであり、前記識別情報は前記複数のディジタル情報のパケットを識別するパケットＩＤ（ＰＩＤ）であることを特徴とする請求項７に記載のディジタル情報記録再生装置。
【請求項９】
前記識別情報は、プログラムアソシエーションテーブル（ＰＡＴ）またはプログラムマップテーブル（ＰＭＴ）から取得することを特徴とする請求項７に記載のディジタル情報記録再生装置。
【請求項１０】
映像・音声・データ等の複数のディジタル情報があらかじめ定められたパケット形式の一つのビット列に多重されたパケット情報を受信して記録媒体に記録再生するディジタル情報記録再生方法において、
前記パケット情報を受信するステップと、
受信したパケット情報から特定のディジタル情報パケットを分離して第２のパケット情報を生成するステップと、
前記第２のパケット情報に含まれる複数のディジタル情報を識別する識別情報をパケット情報から取得してサブコード情報を生成するステップと、
前記第２のパケット情報に含まれる複数のディジタル情報を識別する識別情報をパケット情報から取得してサブコード情報を生成するステップと、
前記第２のパケット情報と前記サブコード情報を前記記録媒体の所定の領域から再生するステップと、
再生された前記サブコード情報に含まれる前記識別情報を検出して再生された前記パケット情報に多重されている前記複数のディジタル情報を識別するステップとを備えたことを特徴とするディジタル情報記録再生方法。
【請求項１１】
前記パケット情報はＭＰＥＧ規格で規定されているトランスポートストリームであり、前記識別情報は前記複数のディジタル情報のパケットを識別するパケットＩＤ（ＰＩＤ）であることを特徴とする請求項１０に記載のディジタル情報記録再生方法。
【請求項１２】
前記識別情報は、プログラムアソシエーションテーブル（ＰＡＴ）またはプログラムマップテーブル（ＰＭＴ）から取得することを特徴とする請求項１０に記載のディジタル情報記録再生方法。
【手続補正３】
【補正対象書類名】明細書
【補正対象項目名】０００１
【補正方法】変更
【補正の内容】
【０００１】
【発明の属する技術分野】
本発明は、複数のディジタル情報を受信して記録または記録再生するディジタル情報記録装置、記録再生装置およびそれらの方法に関する。


【手続補正４】
【補正対象書類名】明細書
【補正対象項目名】０００４
【補正方法】変更
【補正の内容】
【０００４】
本発明は、ディジタル信号のまま記録した番組を前述のアナログ方式ＶＴＲと同様に面倒な操作をすること無しに直ちに再生することが出来るディジタル放送信号の記録装置、記録再生装置およびそれらの方法を提供することを目的とする。


【手続補正５】
【補正対象書類名】明細書
【補正対象項目名】０００５
【補正方法】変更
【補正の内容】
【０００５】
【課題を解決するための手段】
映像・音声・データ等の複数のディジタル情報があらかじめ定められたパケット形式の一つのビット列に多重されたパケット情報を受信して記録媒体に記録するディジタル情報記録装置において、前記パケット情報を受信する受信手段と、前記受信手段で受信したパケット情報から特定のディジタル情報パケットを分離して第２のパケット情報を生成するパケット分離手段と、前記第２のパケット情報に含まれる複数のディジタル情報を識別する識別情報をパケット情報から取得してサブコード情報を生成するサブコード情報生成手段と、前記第２のパケット情報と前記サブコード情報を前記記録媒体の所定の領域に記録する記録手段とを設ける。
また、映像・音声・データ等の複数のディジタル情報があらかじめ定められたパケット形式の一つのビット列に多重されたパケット情報を受信して記録媒体に記録再生するディジタル情報記録再生装置において、前記パケット情報を受信する受信手段と、前記受信手段で受信したパケット情報から特定のディジタル情報パケットを分離して第２のパケット情報を生成するパケット分離手段と、前記第２のパケット情報に含まれる複数のディジタル情報を識別する識別情報をパケット情報から取得してサブコード情報を生成するサブコード情報生成手段と、前記第２のパケット情報と前記サブコード情報を前記記録媒体の所定の領域に記録し、前記記録媒体の所定の領域から再生する記録再生手段と、再生された前記サブコード情報に含まれる前記識別情報を検出して再生された前記パケット情報に多重されている前記複数のディジタル情報を識別する識別手段とを設ける。